(57)【要約】【課題】  ステージの高精度と高速を両立させること、換言すると単振動がなく、大推力と発熱ゼロを両立させる加速手段を提供する。【解決手段】  原版のパターンを基板に走査しながら露光する走査露光装置であって、原版２を搭載して走査方向に移動するステージ３と、ステージに前記走査方向の力を発生させる磁石ユニットＲＵＭとを備える。磁石ユニットは、ステージに設けられ、前記走査方向と垂直な方向に着磁された第１永久磁石３２と、第１永久磁石の各磁極と同極が対向するように着磁された一対の第２永久磁石３７とを有し、第２永久磁石間に第１永久磁石を挿入することによってステージに前記走査方向の力を発生させる。【選択図】図１
2006253707.tif 000002
【特許請求の範囲】
【請求項１】
原版のパターンを基板に走査しながら露光する走査露光装置であって、
前記原版を搭載して走査方向に移動するステージと、
当該ステージを走査方向に加減速するための反発磁石ユニットと、
当該ステージの走査方向における位置を制御するための駆動手段とを有し、
前記反発磁石ユニットは、
前記走査方向と直交する方向に沿ってＮ極とＳ極が間隔を介して対面するように配置された組磁石と、
前記組磁石の間隔に挿脱自在であって、前記組磁石の各磁極と同極が対面するように配置される挿入磁石と
を備えることを特徴とする走査露光装置。
【請求項２】
前記走査方向と直交する方向における位置を制御するための第２駆動手段をさらに備えることを特徴とする請求項１に記載の走査露光装置。
【請求項３】
前記駆動手段がリニアモータであることを特徴とする請求項１または２に記載の走査露光装置。
【請求項４】
前記組磁石及び前記挿入磁石は、板状であり、板厚方向に着磁されることを特徴とする請求項１〜３のいずれかに記載の走査露光装置。
【請求項５】
前記反発磁石ユニットは、
前記組磁石の間隙に前記挿入磁石を挿入することによって発生する磁気反発力を利用して前記ステージを加減速することを特徴とする請求項１〜４のいずれかに記載の走査露光装置。
【請求項６】
前記挿入磁石は前記ステージに設けられ、
前記組磁石は、前記ステージの走査ストローク両端に設けられることを特徴とする請求項１〜５のいずれかに記載の走査露光装置。
【請求項７】
前記組磁石は、前記ステージを案内するベース上に固定されることを特徴とする請求項１〜６のいずれかに記載の走査露光装置。
【請求項８】
前記組磁石を前記走査方向における位置を可変とするための駆動機構を備えることを特徴とする請求項１〜６のいずれかに記載の走査露光装置。
【請求項９】
露光領域に応じて、前記組磁石の位置を可変にすることを特徴とする請求項８に記載の走査露光装置。
【請求項１０】
露光中のドーズ量に応じて、前記挿入磁石が前記組磁石に挿入される挿入量を可変とすることを特徴とする請求項１〜９のいずれかに記載の走査露光装置。
【請求項１１】
原版のパターンを基板に走査しながら露光する走査露光装置であって、
原版を搭載して走査方向に移動するステージと、
前記ステージに設けられ、走査方向と垂直な方向に着磁された第１永久磁石と、前記第１永久磁石の各磁極と同極が対向するように着磁された一対の第２永久磁石とを有し、前記第２永久磁石間に前記第１永久磁石を挿入することによって前記ステージに前記走査方向の力を発生させる磁石ユニットと
を備えることを特徴とする走査露光装置。
【請求項１２】
前記ステージを走査方向に移動するリニアモータをさらに有することを特徴とする請求項１１に記載の露光装置。
【請求項１３】
前記第２永久磁石は、前記ステージの走査ストローク両端に固定されることを特徴とする請求項１１または１２に記載の走査露光装置。
【発明の詳細な説明】
【技術分野】
【０００１】
本発明は、走査露光装置に関し、特に原版を搭載して走査方向に移動するステージが高精度に制御される走査露光装置に関する。
【背景技術】
【０００２】
図１０は従来の移動ステージ装置の全体斜視図、図１１はその制御系のブロック図、図１２はリニアモータの周辺の３面図を含む図である。
【０００３】
図１０において、不図示のベースにベースガイド１が固定され、ベースガイド１に対して１軸方向に滑動自在に工作物２を載置するステージ３が支持されている。ステージ３のＺチルトの動きはベースガイド１の上面とステージ３の下面との間に形成されるエアスライドで規制される。ステージ３のＺ軸周りの回転はヨーガイド４の側面とベースガイド１の側面との間に形成されるエアスライドで規制される。ステージ３の両サイドにはリニアモータ可動子５が固着され、各リニアモータ可動子５にはリニアモータ固定子６が非接触で対面し、各リニアモータ固定子６は不図示のベースに両端の脚７を介して固定されている。
【０００４】
図１２は各リニアモータＬＭの詳細を示す図であり、（ａ）が平面図、（ｂ）が正面図、（ｃ）が側面図、（ｄ）が下可動磁石８と下ヨーク９の平面図である。リニアモータ可動子５は、４極の上下可動磁石８と、可動磁石８の磁束を循環させるための対応する上下ヨーク９とをそれぞれ一体にしたものを、両側板１０を介して上下に配置して構成される。可動磁石８はＺ方向に着磁される。図では着磁方向が矢印で示されている。
【０００５】
リニアモータ固定子６は、複数（この場合６個）の扁平コイル１３を１列に並べたものをコイルホルダ（固定子枠）１４で固定したもので構成される。
【０００６】
リニアモータＬＭは、一般的なブラシレスＤＣモータの展開タイプであって、この場合、２相４極の構成である。そしてリニアモータＬＭは、磁石８とコイル１３の相対位置関係に応じて駆動コイルおよびその電流の方向を切り替えて、所望の方向に所望の力を発生するものである。
【０００７】
上記構成における制御系のブロック図を図１１に示す。この制御系は、位置プロファイル発生部１６と位置制御部１７からなる。位置プロファイル発生部１６により、位置プロファイルは同じ行程を繰り返し往復するように加速、等速、減速を繰り返すように与える。
【０００８】
位置制御部１７は、ステージ３の位置を計測する干渉計１８と、この干渉計１８の位置と位置プロファイルとの差から制御指令を計算する制御演算部１９と、該制御指令に比例した電流をリニアモータＬＭのコイル１３に流す電流アンプ２０とを備えて構成される。
【０００９】
上記制御系により、この移動ステージ装置は、位置プロファイルと実際の位置との差をゼロにするようにリニアモータＬＭのコイル１３に電流が流されるようにしており、加減速中・一定速度期間中とにかかわらず、常に高精度な位置制御を行うようになっている。
【００１０】
一方、行程の両端にコイルばね等の弾性体を配置し、加速減速だけをコイルばね等の弾性体で行うようにしたものも考案されている。このコイルばねによるシステムでも、制御系は図１１に示すもので行われる。この場合、加速減速力がコイルばね等の弾性体によって正常に作用するなら、加速減速に伴う発熱はほぼゼロに出来る。
【特許文献１】特開２００１−１１０６９９号公報
【発明の開示】
【発明が解決しようとする課題】
【００１１】
リニアモータで駆動する場合、常時高精度な位置制御がかかるという点ではよいのだが、加減速時の発熱が大きく、発熱源が工作物の近くにある。また、リニアモータ固定子全体を冷却するのは困難である。よって、工作物周辺の部材が熱膨張で変形したり、計測基準が熱膨張で変形したり、また、レーザ干渉計の光路の空気密度の擾乱となったりして、工作物の位置精度を低下させるという問題がある。
【００１２】
一方、行程の両端にコイルばね等の弾性体を配置し、加速減速だけをコイルばね等の弾性体で行うシステムでは、加速減速力が正常に作用すれば発熱をほぼゼロにできるが、二つの問題がある。
【００１３】
問題の一つは往復の周期が非常に長い場合しか、発熱が低減されないことである。ばね等の弾性体の質量を無視できれば、ばねによる加速が終了し、ばねとステージが切り離された後は、ばねは変形のない状態を保つ。ステージは等速度運動して反対側のばねと出会い、運動エネルギを全てばねの弾性エネルギに変換するようばねをたわませ、今度はこのエネルギで反対側に加速されて、また先ほどと同じ速度となり、ばねはステージが最大速度に達した瞬間の変位つまり変形のない状態を保つ。再びステージは最大速度を維持したまま最初の側のばねと出会い、運動エネルギをばねの弾性エネルギに変換する。これを繰り返してばねによる加速減速ができるが、実際はばねの質量は無視できないので、加速が終了してばねとステージが切り離された後、ばねは単振動する。よって、再びステージとばねが出会うときのばねの変位は不正確となり、ばねがステージに与える力が大きく変動する。この変動分はリニアモータが担当しなければならず、結果的に発熱を小さくすることができない。
【００１４】
往復の周期が非常に長い場合に限り、ステージとばねが切り離されてから再び出会うまでの間に、ばねの単振動は整定し、繰り返し往復運動をしたときの発熱が低減する。
【００１５】
もう一つの問題は、弾性体とステージとが接触するとき、ばね自体の単振動が励起されることである。仮にステージとばねが出会う直前に、ばねが変位のない状態にあったとしても、両者が接触するとき、ばねのばね定数とばね自身の質量で決まるばね単体の単振動が励起される。ばね単体の単振動はばねとステージの質量による単振動より十分に周波数が高いので、ばねとステージはずっと接触することができず、付いたり離れたりを繰り返す。露光装置の加速減速時間は短いので、この状態はばねとステージが出会ってから再び切り離されるまで続く。つまりばねがステージに与える力の中にばね自体の単振動の周波数の外乱が入る。加速終了時点で外乱をサーボ系で抑圧しきれない分の位置偏差が残り、露光開始できるまでの制定時間が増加し生産性が低下する。
【００１６】
本発明の課題は、高精度と高速を両立させること、換言すると大推力と発熱ゼロを両立させる加速手段を提供することにあり、さらに単振動のない反発加速手段を提供することである。
【課題を解決するための手段】
【００１７】
上記の課題を解決するために、本発明に係る第１の走査露光装置は、原版のパターンを基板に走査しながら露光する走査露光装置であって、前記原版を搭載して走査方向に移動するステージと、当該ステージを走査方向に加減速するための反発磁石ユニットと、当該ステージの走査方向における位置を制御するための駆動手段とを有し、前記反発磁石ユニットは、前記走査方向と直交する方向に沿ってＮ極とＳ極が間隔を介して対面するように配置された組磁石と、前記組磁石の間隔に挿脱自在であって、前記組磁石の各磁極と同極が対面するように配置される挿入磁石とを備えることを特徴とする。
【００１８】
上記第１の走査露光装置において、前記挿入磁石は前記ステージに設けられ、前記組磁石は、前記ステージの走査ストローク両端に設けられることが望ましい。ストローク両端に配置された永久磁石を含む反発磁石ユニットで大推力をステージに与え、これと並行してリニアモータ等の駆動系で制御を行うようにすると、反発磁石ユニットが永久磁石同士の反発によって反発力を発生するため、ばねを用いた場合のようなばね自身の単振動が発生せず、リニアモータの発熱が思いのほか増加したり整定時間が延びたりすることがない。
【００１９】
また、前記走査方向と直交する方向における位置を制御するための第２駆動手段をさらに備えることが望ましく、前記駆動手段がリニアモータであることが望ましい。
また、本発明では、前記ステージの位置を高精度に制御するための磁気駆動手段が、第１の方向をＹ、水平面に含まれ第１の方向と直交する方向をＸ、鉛直軸周りの回転方向をθとするとき、ＸＹθ位置制御を行うための駆動系を備えることが望ましく、前記駆動系が単相リニアモータであることが好ましい。前記組磁石及び前記挿入磁石は、板状であり、板厚方向に着磁されているのがよい。
【００２０】
また、前記反発磁石ユニットは、前記組磁石の間隙に前記挿入磁石を挿入することによって発生する磁気反発力を利用して前記ステージを加減速することが望ましい。また、前記挿入磁石は前記ステージに設けられ、前記組磁石は、前記ステージの走査ストローク両端に設けられることが望ましい。また、前記組磁石は、前記ステージを案内するベース上に固定されることが望ましい。また、前記組磁石を前記走査方向における位置を可変とするための駆動機構を備えることが望ましい。
また、本発明では、露光領域に応じて、前記組磁石の位置を可変にするようにしてもよく、露光中のドーズ量に応じて、前記挿入磁石が前記組磁石に挿入される挿入量を可変としてもよい。
【００２１】
本発明に係る第２の走査露光装置は、原版のパターンを基板に走査しながら露光する走査露光装置であって、原版を搭載して走査方向に移動するステージと、前記ステージに設けられ、走査方向と垂直な方向に着磁された第１永久磁石と、前記第１永久磁石の各磁極と同極が対向するように着磁された一対の第２永久磁石とを有し、前記第２永久磁石間に前記第１永久磁石を挿入することによって前記ステージに前記走査方向の力を発生させる磁石ユニットとを備えることを特徴とする。
【００２２】
第２の走査露光装置は、前記ステージを走査方向に移動するリニアモータをさらに有することが好ましい。また、前記第２永久磁石は、前記ステージの走査ストローク両端に固定されることが好ましい。
【発明の効果】
【００２３】
本発明によれば、高精度と高速、換言すると低発熱と高速が両立し、単振動の影響をなくすことができ、また、ステージを移動させる駆動系が単相リニアモータであることにより、ステージ全体が軽くなり、位置制御精度が向上する。
【発明を実施するための最良の形態】
【００２４】
（第一の実施形態）
図１は本発明の第一の実施形態に係る移動ステージ装置を示す斜視図である。この移動ステージ装置は、不図示のベースにベースガイド１が固定され、ベースガイド１に対して１軸方向に滑動自在に工作物２を載置するステージ３が支持されている。ステージ３のＺチルトの動きは、ベースガイド１の上面とステージ３の下面との間に形成されるエアスライドで規制される。ステージ３のＺ軸周りの回転とＸ方向の位置は、ヨーガイド４の側面とベースガイド１の側面の間に形成されるエアスライドで規制される。ステージ３の両サイドにはリニアモータ可動子５が固定され、リニアモータ可動子５にはリニアモータ固定子６が非接触で対面し、リニアモータ固定子６は不図示のベースに両端の脚７を介して固定されている。
【００２５】
リニアモータの方式は図９に示したものと同様である。ステージ３の位置はレーザ干渉計をＹミラー１１Ｙに照射して計測される。
【００２６】
この移動ステージ装置は、図１（ｂ）に示す反発磁石ユニットＲＭＵを備えており、ステージ３の前後には可動磁石ホルダ３１と可動磁石３２から成る反発可動子３３が固定される。可動磁石３２は鉛直方向に着磁された板状の単極永久磁石である。この実施形態では、上がＮ極に着磁されている。挿入磁石としてのこの反発可動子３３は、ベースガイド１に固定された反発固定子３５と相互に作用してステージ３に反発力を与え、ステージ３を加速減速するように作用する。
【００２７】
反発磁石ユニットＲＭＵの上記の構成で特徴的なのは、反発力を発生する方向と永久磁石の着磁方向とが直交している点である。例えば、Ｙ方向に着磁された磁石の同じ極同士を対面させてもＹ方向の反発力を得ることは出来るが、これでは、反発力を発生できる距離が非常に短く、十分な速度に到達することが出来ない。
【００２８】
図１に示すように、同極磁石を対面させて、対面方向と直角方向に発生する力を利用することで、対面させる同極磁石の寸法に応じた力発生ストロークを得ることが出来る。
【００２９】
また、この反発磁石ユニットＲＭＵは、可動磁石３２の各々の磁極面に対して両側から上下磁石３７の同極で挟み込む構造にすることで、対面方向の反発力を相殺することが出来る。
【００３０】
上記反発可動子３３に対応して、ステージ３に加速減速力を与える反発固定子３５がベースガイド１上に固定されている。反発固定子３５はステージ３のストロークの両端に１ユニットずつ設けられる。
【００３１】
反発固定子３５は、組磁石として、上ヨーク３６、上磁石３７、両側の横ヨーク３８、下磁石３７、及び下ヨーク３６から構成される。上下磁石３７は反発可動子３３と同様に鉛直方向に着磁された板状単極永久磁石である。ただし極は可動子３３の磁石と同じ極が対面するように配置される。つまり、上磁石３７の下面はＮ極、下磁石３７の上面はＳ極になるように配置される。上ヨーク３６、横ヨーク３８、及び下ヨーク３６は、上下磁石３７の磁束を側方経由で循環させるために設けられている。また、上下磁石３７の間隔は可動磁石３２の厚さより少し大きい間隙を空け、両横ヨーク３８の内面間隔は可動磁石３２の幅より広く取ってあり、可動磁石３２が上下一対の磁石３７の間及び両横ヨーク３８の間に形成される穴に非接触で挿入できるようになっている。
【００３２】
図１（ｂ）は反発系である反発磁石ユニットのみを抜き出して示している斜視図である。反発可動子３３が点線の位置にいるとき、矢印Ａの方向の反発力を受けるようになっている。点線の位置から可動子３３が矢印Ａの方向に反発力を受けて矢印Ａの方向に押し出されるに従い反発力は減少し、反発可動子３３が反発固定子３５からある程度離れると反発力はゼロになる。そのときステージ３は、最大速度まで加速されており、エアスライドによってガイドされているので、そのままの速度で等速度運動し、ステージ３の反対側に設けられた反発可動子３３がもう一端の反発固定子３５と相互作用するまでその速度を維持する。
【００３３】
空気抵抗や配管抵抗による減速作用には、リニアモータが力を発生して、その力により減速しないように対抗する。このようにステージ３の反対側に設けられた反発可動子３３ともう一端の反発固定子３５が相互作用するまで運動エネルギが保存されるので、ステージ３の反対側に設けられた反発可動子３３は、図１（ｂ）の前記点線で示した位置における挿入量と同じ量だけもう一端の反発固定子３５に挿入された状態で速度がゼロになる。
【００３４】
図３に第一の実施形態の駆動手順を示す。
電源ＯＮ時に、ａ）の状態にあったとする。この状態でリニアモータＬＭに電流を流してステージ３を左方向に移動させる。ｂ）は左側の反発可動子３３と左側の反発固定子３５が相互作用を開始する位置、換言するとこの位置までは反発固定子３５と反発可動子３３の間に反発力は作用しない。リニアモータに流す電流もごく微小でよい。さらに左にステージ３を移動させて左側の反発可動子３３を左側の反発固定子３５の上下磁石３７，３７の間に挿入する。この状態がｃ）で、リニアモータには反発力に対抗する電流が流れている。この状態でリニアモータ電流をゼロにするとステージ３は反発力を受けて右方向に加速される。後述するがリニアモータＬＭの電流は、実際にはゼロではなく、位置を高精度に制御するための微小な電流が流れる。加速が終了して最大速度に達した状態を示すのがｄ）である。これは、反発可動子３３が反発固定子３５に対し先ほどのｂ）と同じ位置である。この位置より右側において、ステージ３が左側の固定子３５から受ける反発力はゼロである。ステージ３は、これ以後、等速度で右に移動してｅ）の状態を経て、ｆ）の状態に至る。ｆ）の状態は右側の反発可動子３３が右側の反発固定子３５から左側に反発力を受け始める位置である。反発可動子３３と反発固定子３５の相対距離は上記ｂ）、ｄ）と同じである。ここからステージ３は左側方向に力を受けつつ減速し、ｇ）の状態に至る。このときステージ３の速度はゼロである。このときの右側の反発可動子３３と右側の反発固定子３５の相対関係つまり右側の反発固定子３５に対する右側の反発可動子３３の挿入量はｃ）と同じである。この状態では速度はゼロだがステージ３に作用する左方向の反発力は最大である。ここからまたステージ３は左方向に加速され始めｈ）の状態に至って速度は最大になる。ｈ）における反発固定子３５に対する反発可動子３３は、ｆ）と同じ位置であって、ステージ３の位置がこれより左側では右側反発固定子３５から受ける反発力はゼロである。以下同様にして、往復運動が繰り返される。
【００３５】
図２に第一の実施形態に係る制御系のブロック図を示す。この制御系は、時間とその時間にいるべき位置の関係を生成する位置プロファイル生成手段１６と、時々刻々において前記いるべき位置と干渉計で計測された実際の位置との偏差を演算する差分器２１と、差分器２１が出力する偏差にＰＩＤ等に代表される制御演算を施し、その結果をアナログ電圧で出力する演算部１９と、該アナログ出力電圧に比例する電流をリニアモータＬＭに供給する電流アンプ２０とを備えて構成される。これによりステージ３の位置は位置プロファイルに従うように制御される。これは一般的な位置サーボ系である。
【００３６】
位置プロファイルは図３で説明したような往復運動を繰り返すように与える。図では２周期分だけ示してあるが、実際にはこれが繰り返される。制御系のブロック図としては従来例のものと全く同じである。しかし、従来例においては、加速減速時にリニアモータＬＭに大きな電流が流れるのに対して、第一の実施形態では加速減速に必要な力は反発固定子３５と、反発可動子３３により発生するので、結果的に制御される位置が同じでもリニアモータＬＭにはほとんど電流が流れない。リニアモータＬＭは最初に反発可動子３３を反発固定子３５に挿入するための推力を発生した後は、目標位置とのわずかな位置偏差をとるための小さい推力を発生するだけであり、発熱はほぼゼロである。
あと往復運動をやめるときは随時リニアモータＬＭに電流を流してステージ３を停止させればよい。
【００３７】
（第二の実施形態）
図４は本発明の第二の実施形態に係る移動ステージ装置を示す斜視図である。この移動ステージ装置は、不図示のベースにベースガイド１が固定され、ベースガイド１に対して概ね１軸方向に滑動自在に工作物２を載置するステージ３が支持されている。ステージ３のＺチルトの動きは、ベースガイド１の上面とステージ３の下面との間に形成されるエアスライドで規制される。ステージ３のＺ軸周りの回転とＸ方向の位置は、規制されず自在である。しかし、動けるストロークはほとんどない。ステージ３の両サイドにはリニアモータ可動子５が固着され、リニアモータ可動子５にはリニアモータ固定子６が非接触で対面し、リニアモータ固定子６は不図示のベースに固定されている。
【００３８】
図面の手前側のリニアモータは図１のものと同様である。図面の奧側のリニアモータは図１のものにさらにＸ方向の推力を発生できるようにしたものである。詳細を図５に示す。固定子６はコイルホルダ１４、６個のＹ用扁平コイル１３Ｙ、１個のＸ用扁平コイル１３Ｘから構成される。可動子５は４極のＹ駆動用磁石８Ｙ、２極のＸ駆動用磁石８Ｘ、上下ヨーク９、両側板１０から構成される。Ｙ駆動に用いられる部分は図９のものと同様であるので説明を省略する。２極のＸ駆動用磁石８Ｘは、鉛直方向に着磁された板状磁石であり、図５に示すような極の向きにＸ方向に並んでおり、各磁石の中心位置は概ねＸ用扁平コイル１３Ｘの二つの直線部の中心位置とほぼ一致するようになっている。Ｘ用扁平コイル１３Ｘに電流を流すと、可動子５はＸ方向に力を受ける。
【００３９】
ステージ３にはＹ方向の位置を検出するためのＹミラー１１Ｙ１と、Ｙミラー１１Ｙ２が設けられ、奥側の可動子５の端にはＸミラー１１Ｘが設けられる。ステージ３の位置はＹミラー１１Ｙ１と、Ｙミラー１１Ｙ２、及びＸミラー１１Ｘに照射されるレーザを含む干渉計で計測される。Ｙミラー１１Ｙ１、１１Ｙ２に関わる干渉計でＹ方向位置とＺ軸周りの回転が、Ｘミラー１１Ｘに関わる干渉計でＸ方向の位置が計測される。
【００４０】
ステージ３のＹ方向とθの位置制御は２本の各々６個のＹ用扁平コイル１３Ｙに電流を流すことで、ステージ３のＸ方向の制御はＸ用扁平コイル１３Ｘに電流を流すことで行われる。
【００４１】
ステージ３の前後には可動磁石ホルダ３１と可動磁石３２から成る反発可動子３３が固定される。可動磁石３２は鉛直方向に即ち板厚方向に着磁された板状の単極永久磁石である。この実施形態では上がＮ極に下がＳ極に着磁されている。この反発可動子３３はベースガイド１に固定された反発固定子３５と相互に作用して、ステージ３に反発力を与え、ステージ３を加速減速するように作用する。この辺の構成は第一の実施形態と全く同じである。
【００４２】
往復運動に関する駆動方法は第一の実施形態と同じであって、図３に示すとおりである。
【００４３】
図６に本実施形態の制御系のブロック図を示す。
この制御系には、時間とその時間にいるべきＹ位置の関係を生成するＹ位置プロファイル生成手段１６Ｙと、時間とその時間にいるべきＸ位置の関係を生成するＸ位置プロファイル生成手段１６Ｘと、時間とその時間にあるべき角度の関係を生成する角度プロファイル生成手段１６Ａとがあり、各々Ｙ位置サーボ系の指令、Ｘ位置サーボ系の指令、θ位置サーボ系の指令として働く。
【００４４】
Ｙ位置サーボ系は時々刻々におけるＹプロファイルと実際のＹ位置との偏差を差分器２１ｂで計算し、この偏差にＰＩＤに代表される制御演算を制御演算部１９ｂで施して、アナログ電圧として出力し、これを両側のＹ用扁平コイル１３Ｙに電流を供給する電流アンプ２０ａ、２０ｂに印加することで、ステージ３のＹ位置をＹプロファイルに従うように制御する。実際のＹ位置は干渉計１１Ｙ１の計測値と干渉計１１Ｙ２の計測値との平均値を計算して求められる。
【００４５】
Ｘ位置サーボ系は時々刻々におけるＸプロファイルと実際のＸ位置との偏差を差分器２１ｄで計算し、この偏差にＰＩＤに代表される制御演算を制御演算部１９ｃで施して、アナログ電圧として出力し、これをＸ用扁平コイル１３Ｘに電流を供給する電流アンプ２０ｃに印加することで、ステージ３のＸ位置をＸプロファイルに従うように制御する。実際のＸ位置は干渉計１１Ｘの計測値から求められる。
【００４６】
θ位置サーボ系は時々刻々におけるθプロファイルと実際のθ位置との偏差を差分器２１ａで計算し、この偏差にＰＩＤに代表される制御演算を制御演算部１９ａで施して、アナログ電圧として出力し、これを加算器２３ａ、２３ｂ経由にて両側のＹ用扁平コイル１３Ｙに電流を供給するそれぞれの電流アンプ２０ａ、２０ｂに印加することで、ステージ３のθ位置をθプロファイルに従うように制御する。アナログ電圧は左右の電流アンプに対して逆符号になるように印加される。実際のθ位置は干渉計１１Ｙ１の計測値と干渉計１１Ｙ２の計測値との差を差分器２１ｃで計算して求められる。
【００４７】
これらは一般的なＸＹθ位置サーボ系である。Ｙ位置プロファイルは図３で説明したような往復運動を繰り返すように与える。図では２周期分だけ示してあるが、実際にはこれが繰り返される。
【００４８】
この実施形態では、Ｘ位置プロファイルは時間に対して一定なプロファイルで与えられている。この実施形態では、θ位置プロファイルは時間に対して一定なプロファイルで与えられている。
【００４９】
従来例においては、Ｙ方向加速減速時にリニアモータＬＭに大きな電流が流れるのに対して、本実施形態ではＹ方向加速減速に必要な力は反発固定子３５と、反発可動子３３により発生するので、リニアモータＬＭにはほとんど電流が流れない。リニアモータＬＭは最初に反発可動子３３を反発固定子３５に挿入するための推力を発生した後は、目標位置とのわずかな位置偏差をとるための小さい推力を発生するだけであり発熱はほぼゼロである。このあたりは第一の実施形態と同様である。Ｘ方向、及びθ方向に関しては大きな加速度が発生しない。ごく一般的なサーボ系である。反発可動子３３が反発固定子３５に挿入されるときにもＸθの位置が一定になるように制御する。このときの制御誤差がゼロなら、反発可動子３３のＸθ方向の力は発生しないが、実際にはわずかな誤差があり、この誤差に応じて反発固定子３５と反発可動子３３のＸ方向と、θ方向の力が発生する。それにはＸ用扁平コイル１３Ｘに流す電流とＹ用扁平コイル１３Ｙ１，１３Ｙ２にＹ方向に互いに逆の力を発生するように流す電流とで対抗する。この量は非常に小さく、これによる発熱もほぼゼロである。
【００５０】
なお、往復運動をやめるときは、随時リニアモータＬＭに電流を流してステージ３を停止させればよい。
【００５１】
（第三の実施形態）
図７、図８及び図９は第三の実施形態に係る装置を示す図である。
不図示のベースにベースガイド１が固定され、ベースガイド１に対して概ね１軸方向に滑動自在に工作物２を載置するステージ３が支持されている。ステージ３のＺチルトの動きはベースガイド１の上面とステージ３の下面との間に形成されるエアスライドで規制される。ステージ３のＺ軸周りの回転とＸ方向の位置は規制されず自在である。しかし動けるストロークはほとんどない。ステージ３の両サイドには２軸単相リニアモータ可動子４５が固定され、各２軸単相リニアモータ可動子４５には後述の一対のリニアモータ固定子４６が上下からリニアモータ可動子４５を挟む形で非接触で対面する。リニアモータ固定子４６は脚４７により不図示のベースに固定されている。
【００５２】
ステージ３にはＹミラー１１Ｙ１と、Ｙミラー１１Ｙ２が設けられ、奥側のリニアモータ可動子４５の端にはＸミラー１１Ｘが設けられる。ステージ３の位置はＹミラー１１Ｙ１と、Ｙミラー１１Ｙ２、及びＸミラー１１Ｘに照射されるレーザを含む干渉計で計測される。Ｙミラー１１Ｙ１及びＹミラー１１Ｙ２に関わる干渉計でＹ方向位置とＺ軸周りの回転が、Ｘミラー１１Ｘに関わる干渉計でＸ方向の位置が計測される。
【００５３】
従来例、第一の実施形態、及び第２の実施形態では、Ｙ方向駆動用リニアモータは複数の扁平コイルを選択的に駆動していたが、本実施形態ではＹ駆動コイルは個数が４個あって、いつも同時に使用される、つまり切り替えが発生しないという特徴がある。
【００５４】
リニアモータ可動子４５は、図８に示すように、鉛直方向即ち板厚方向に着磁された板状の単極の可動磁石４８を可動磁石ホルダ４９に装着したものである。これは鉛直方向に磁束密度を生成する。リニアモータ固定子４６は、図７に示すように、上下左右で都合４ユニットある。それらの各ユニットは、図８及び図９に示すように、ヨーク５４、Ｙ単相コイル５３Ｙ、及びＸ単相コイル５３Ｘからなる。Ｙ単相コイル５３Ｙはヨーク５４に対してＹ軸周りに巻き線を巻き回したものであり、Ｘ単相コイル５３Ｘは、ヨーク５４の両端にある縦溝５５に通し、該ヨーク５４に対してＸ軸周りに巻き線を巻き回したものである。
【００５５】
可動子４５と固定子４６が対面した状態で、Ｙ単相コイル５３Ｙに電流を流すと、可動子４５にはＹ方向の力が発生し、Ｘ単相コイル５３Ｘに電流を流すと、可動子４５にはＸ方向の力が発生する。
【００５６】
４つのＸ単相コイル５３Ｘは全て直列または並列に接続して電気的に単相になっている。
【００５７】
４つのＹ単相コイル５３Ｙは、左右各々において上下のＹ単相コイルが直列または並列に接続されているが、左右は独立に電流を流すようになっている。このため、Ｙ方向は右と左とで独立に力が発生できるようになっている。
【００５８】
ステージ３のＹとθの位置制御は左右のＹ単相コイル５３Ｙに電流を流すことで行われ、ステージ３のＸの制御はＸ単相コイル５３Ｘに電流を流すことで行われる。
【００５９】
ステージ３の前後には可動磁石ホルダ３１と可動磁石３２から成る反発可動子３３が固定される。可動磁石３２は鉛直方向即ち板厚方向に着磁された板状の単極永久磁石である。この実施形態では上がＮ極に下がＳ極に着磁されている。この反発可動子３３は、ベースガイド１に固定された反発固定子３５と相互に作用して、ステージ３に反発力を与え、ステージ３を加速減速するように作用する。この辺の構成は第一の実施形態と全く同じである。
【００６０】
本実施形態の往復運動に関する駆動方法は、第一の実施形態と同じであり、図３に示すとおりである。
【００６１】
本実施形態の制御系のブロック図は、省略するが、図６のものに準ずる。Ｘ位置サーボ系の電流アンプがＸ用扁平コイル１３Ｘの代わりにＸ単相コイル５３Ｘに接続され、Ｙθ位置サーボ系の二つの電流アンプが左右の６個の扁平コイル系に接続される代わりに左右のＹ単相コイル５３Ｙに接続されているところが違うだけであり、他の構成及び動作は同じである。
【００６２】
この実施形態特有の効果として、可動子４５が軽く、ステージ３全体が軽いこと、Ｙ方向制御中にコイルの切り替えが発生しないので、位置制御精度が向上すること、が挙げられる。
【００６３】
（第四の実施形態）
半導体露光装置のレチクルステージに適用した場合、第一から第三までの全ての実施形態において、図３ｃ）における挿入量を変えることで、ステージ３は最大速度を変えることができる。つまり露光中のドーズ量を変えたい場合には、図３ｃ）における反発可動子３３を反発固定子３５内に挿入する挿入量を変えればよい。
【００６４】
また、必ずしも工作物であるレチクル全体のパターンを露光しない場合、つまり半分とか一部だけ露光すればよい場合もある。第一から第三までの実施形態では、反発固定子３５はすべて位置が固定として説明したが、一般に知られるねじ送り機構などを用いて反発固定子の位置を可変にするようにしておけば、ステージ３の運動するストロークを任意に設定することができ、レチクルの一部だけを露光したい場合に対応できる。
【００６５】
（第五の実施形態）
次に前述した実施形態の移動ステージ装置をレチクルステージとして搭載した走査型露光装置の実施形態を、図１３を用いて説明する。
【００６６】
鏡筒定盤９６は、床または基盤９１からダンパ９８を介して支持されている。また、鏡筒定盤９６は、レチクルステージ定盤９４を支持すると共に、レチクルステージ９５とウエハステージ９３の間に位置する投影光学系９７を支持している。
【００６７】
ウエハステージ９３は、床または基盤９１から支持されたステージ定盤９２上に支持され、ウエハを載置して位置決めを行う。また、レチクルステージ９５は、鏡筒定盤９６に支持されたレチクルステージ定盤９４上に支持され、回路パターンが形成されたレチクルを搭載して移動可能である。レチクルステージ９５上に搭載されたレチクルをウエハステージ９３上のウエハに露光する露光光は、照明光学系９９から発生される。
【００６８】
なお、ウエハステージ９３は、レチクルステージ９５と同期して走査される。レチクルステージ９５とウエハステージ９３の走査中、両者の位置はそれぞれ干渉計によって継続的に検出され、レチクルステージ９５とウエハステージ９３の駆動部にそれぞれフィードバックされる。これによって、両者の走査開始位置を正確に同期させるとともに、定速走査領域の走査速度を高精度で制御することができる。投影光学系９７に対して両者が走査している間に、ウエハ上にはレチクルパターンが露光され、回路パターンが転写される。
【００６９】
本実施形態では、前述の実施形態の移動ステージ装置をレチクルステージとして用いているため、単振動の影響を受けないで、高速・高精度な露光が可能となる。
【００７０】
（半導体生産システムの実施形態）
次に、本発明に係る装置を用いた半導体デバイス（ＩＣやＬＳＩ等の半導体チップ、液晶パネル、ＣＣＤ、薄膜磁気ヘッド、マイクロマシン等）の生産システムの例を説明する。これは半導体製造工場に設置された製造装置のトラブル対応や定期メンテナンス、あるいはソフトウェア提供などの保守サービスを、製造工場外のコンピュータネットワークを利用して行うものである。
【００７１】
図１４は全体システムをある角度から切り出して表現したものである。図中、１０１は半導体デバイスの製造装置を提供するベンダ（装置供給メーカ）の事業所である。製造装置の実例としては、半導体製造工場で使用する各種プロセス用の半導体製造装置、例えば、前工程用機器（露光装置、レジスト処理装置、エッチング装置等のリソグラフィ装置、熱処理装置、成膜装置、平坦化装置等）や後工程用機器（組立て装置、検査装置等）を想定している。事業所１０１内には、製造装置の保守データベースを提供するホスト管理システム１０８、複数の操作端末コンピュータ１１０、これらを結んでイントラネット等を構築するローカルエリアネットワーク（ＬＡＮ）１０９を備える。ホスト管理システム１０８は、ＬＡＮ１０９を事業所の外部ネットワークであるインターネット１０５に接続するためのゲートウェイと、外部からのアクセスを制限するセキュリティ機能を備える。
【００７２】
一方、１０２〜１０４は、製造装置のユーザとしての半導体製造メーカの製造工場である。製造工場１０２〜１０４は、互いに異なるメーカに属する工場であっても良いし、同一のメーカに属する工場（例えば、前工程用の工場、後工程用の工場等）であっても良い。各工場１０２〜１０４内には、夫々、複数の製造装置１０６と、それらを結んでイントラネット等を構築するローカルエリアネットワーク（ＬＡＮ）１１１と、各製造装置１０６の稼動状況を監視する監視装置としてホスト管理システム１０７とが設けられている。各工場１０２〜１０４に設けられたホスト管理システム１０７は、各工場内のＬＡＮ１１１を工場の外部ネットワークであるインターネット１０５に接続するためのゲートウェイを備える。これにより各工場のＬＡＮ１１１からインターネット１０５を介してベンダの事業所１０１側のホスト管理システム１０８にアクセスが可能となり、ホスト管理システム１０８のセキュリティ機能によって限られたユーザだけにアクセスが許可となっている。具体的には、インターネット１０５を介して、各製造装置１０６の稼動状況を示すステータス情報（例えば、トラブルが発生した製造装置の症状）を工場側からベンダ側に通知する他、その通知に対応する応答情報（例えば、トラブルに対する対処方法を指示する情報、対処用のソフトウェアやデータ）や、最新のソフトウェア、ヘルプ情報などの保守情報をベンダ側から受け取ることができる。各工場１０２〜１０４とベンダの事業所１０１との間のデータ通信および各工場内のＬＡＮ１１１でのデータ通信には、インターネットで一般的に使用されている通信プロトコル（ＴＣＰ／ＩＰ）が使用される。なお、工場外の外部ネットワークとしてインターネットを利用する代わりに、第三者からのアクセスができずにセキュリティの高い専用線ネットワーク（ＩＳＤＮなど）を利用することもできる。また、ホスト管理システムはベンダが提供するものに限らずユーザがデータベースを構築して外部ネットワーク上に置き、ユーザの複数の工場から該データベースへのアクセスを許可するようにしてもよい。
【００７３】
さて、図１５は本実施形態の全体システムを図１４とは別の角度から切り出して表現した概念図である。先の例ではそれぞれが製造装置を備えた複数のユーザ工場と、該製造装置のベンダの管理システムとを外部ネットワークで接続して、該外部ネットワークを介して各工場の生産管理や少なくとも１台の製造装置の情報をデータ通信するものであった。これに対し本例は、複数のベンダの製造装置を備えた工場と、該複数の製造装置のそれぞれのベンダの管理システムとを工場外の外部ネットワークで接続して、各製造装置の保守情報をデータ通信するものである。図中、２０１は製造装置ユーザ（半導体デバイス製造メーカ）の製造工場であり、工場の製造ラインには各種プロセスを行う製造装置、ここでは例として露光装置２０２、レジスト処理装置２０３、成膜処理装置２０４が導入されている。なお図１５では製造工場２０１は１つだけ描いているが、実際は複数の工場が同様にネットワーク化されている。工場内の各装置はＬＡＮ２０６で接続されてイントラネットを構成し、ホスト管理システム２０５で製造ラインの稼動管理がされている。
【００７４】
一方、露光装置メーカ２１０、レジスト処理装置メーカ２２０、成膜装置メーカ２３０などベンダ（装置供給メーカ）の各事業所には、それぞれ供給した機器の遠隔保守を行うためのホスト管理システム２１１，２２１，２３１を備え、これらは上述したように保守データベースと外部ネットワークのゲートウェイを備える。ユーザの製造工場内の各装置を管理するホスト管理システム２０５と、各装置のベンダの管理システム２１１，２２１，２３１とは、外部ネットワーク２００であるインターネットもしくは専用線ネットワークによって接続されている。このシステムにおいて、製造ラインの一連の製造機器の中のどれかにトラブルが起きると、製造ラインの稼動が休止してしまうが、トラブルが起きた機器のベンダからインターネット２００を介した遠隔保守を受けることで迅速な対応が可能であり、製造ラインの休止を最小限に抑えることができる。
【００７５】
半導体製造工場に設置された各製造装置はそれぞれ、ディスプレイと、ネットワークインタフェースと、記憶装置にストアされたネットワークアクセス用ソフトウェアならびに装置動作用のソフトウェアを実行するコンピュータを備える。記憶装置としては内蔵メモリやハードディスク、あるいはネットワークファイルサーバーなどである。上記ネットワークアクセス用ソフトウェアは、専用又は汎用のウェブブラウザを含み、例えば図１６に一例を示す様な画面のユーザインタフェースをディスプレイ上に提供する。各工場で製造装置を管理するオペレータは、画面を参照しながら、製造装置の機種４０１、シリアルナンバー４０２、トラブルの件名４０３、発生日４０４、緊急度４０５、症状４０６、対処法４０７、経過４０８等の情報を画面上の入力項目に入力する。入力された情報はインターネットを介して保守データベースに送信され、その結果の適切な保守情報が保守データベースから返信されディスプレイ上に提示される。またウェブブラウザが提供するユーザインタフェースはさらに図示のごとくハイパーリンク機能４１０〜４１２を実現し、オペレータは各項目の更に詳細な情報にアクセスしたり、ベンダが提供するソフトウェアライブラリから製造装置に使用する最新バージョンのソフトウェアを引出したり、工場のオペレータの参考に供する操作ガイド（ヘルプ情報）を引出したりすることができる。ここで、保守データベースが提供する保守情報には、上記説明した本発明に関する情報も含まれ、また前記ソフトウェアライブラリは本発明を実現するための最新のソフトウェアも提供する。
【００７６】
次に上記説明した生産システムを利用した半導体デバイスの製造プロセスを説明する。図１７は半導体デバイスの全体的な製造プロセスのフローを示す。ステップ１（回路設計）では半導体デバイスの回路設計を行う。ステップ２（マスク製作）では設計した回路パターンを形成したマスクを製作する。一方、ステップ３（ウエハ製造）ではシリコン等の材料を用いてウエハを製造する。ステップ４（ウエハプロセス）は前工程と呼ばれ、上記用意したマスクとウエハを用いて、リソグラフィ技術によってウエハ上に実際の回路を形成する。次のステップ５（組立て）は後工程と呼ばれ、ステップ４によって作製されたウエハを用いて半導体チップ化する工程であり、アッセンブリ工程（ダイシング、ボンディング）、パッケージング工程（チップ封入）等の組立て工程を含む。ステップ６（検査）ではステップ５で作製された半導体デバイスの動作確認テスト、耐久性テスト等の検査を行う。こうした工程を経て半導体デバイスが完成し、これを出荷（ステップ７）する。前工程と後工程はそれぞれ専用の別の工場で行い、これらの工場毎に上記説明した遠隔保守システムによって保守がなされる。また前工程工場と後工程工場との間でも、インターネットまたは専用線ネットワークを介して生産管理や装置保守のための情報がデータ通信される。
【００７７】
図１８は上記ウエハプロセスの詳細なフローを示す。ステップ１１（酸化）ではウエハの表面を酸化させる。ステップ１２（ＣＶＤ）ではウエハ表面に絶縁膜を成膜する。ステップ１３（電極形成）ではウエハ上に電極を蒸着によって形成する。ステップ１４（イオン打込み）ではウエハにイオンを打ち込む。ステップ１５（レジスト処理）ではウエハに感光剤を塗布する。ステップ１６（露光）では上記説明した露光装置によってマスクの回路パターンをウエハに焼付露光する。ステップ１７（現像）では露光したウエハを現像する。ステップ１８（エッチング）では現像したレジスト像以外の部分を削り取る。ステップ１９（レジスト剥離）ではエッチングが済んで不要となったレジストを取り除く。これらのステップを繰り返し行うことによって、ウエハ上に多重に回路パターンを形成する。各工程で使用する製造機器は上記説明した遠隔保守システムによって保守がなされているので、トラブルを未然に防ぐと共に、もしトラブルが発生しても迅速な復旧が可能であり、従来に比べて半導体デバイスの生産性を向上させることができる。
【図面の簡単な説明】
【００７８】
【図１】（ａ）は本発明の第一の実施形態に係る移動ステージ装置を示す斜視図、（ｂ）はその反発磁石ユニットを示す斜視図である。
【図２】本発明の第一の実施形態に係る移動ステージ装置の制御系のブロック図である。
【図３】本発明の第一の実施形態に係る移動ステージ装置の駆動手順の説明用図である。
【図４】（ａ）は本発明の第二の実施形態に係る移動ステージ装置を示す斜視図、（ｂ）はそのリニアモータ固定子を示す斜視図である。
【図５】本発明のＸミラー付き可動子周辺図であって、（ａ）は平面図、（ｂ）は正面図、（ｃ）は側面図、（ｄ）は下ヨーク及び下磁石のみを示す部分平面図である。
【図６】本発明の第二の実施形態に係る移動ステージ装置の制御系のブロック図である。
【図７】本発明の第三の実施形態に係る移動ステージ装置を示す斜視図である。
【図８】本発明の第三の実施形態に係る装置の要部分解斜視図である。
【図９】本発明の第三の実施形態に係る単相リニアモータの固定子の分解斜視図である。
【図１０】従来例の移動ステージ装置を示す斜視図である。
【図１１】従来例の制御系のブロック図である。
【図１２】従来例のリニアモータを示す図であって、（ａ）は平面図、（ｂ）は正面図、（ｃ）は側面図、（ｄ）は下ヨーク及び下磁石のみを示す部分平面図である。
【図１３】本発明の実施形態に係る露光装置の立面図である。
【図１４】本発明に係る装置を用いた半導体デバイスの生産システムをある角度から見た概念図である。
【図１５】本発明に係る装置を用いた半導体デバイスの生産システムを別の角度から見た概念図である。
【図１６】ユーザインタフェースの具体例である。
【図１７】デバイスの製造プロセスのフローを説明する図である。
【図１８】ウエハプロセスを説明する図である。
【符号の説明】
【００７９】
１：ベースガイド、２：工作物、３：ステージ、４：ヨーガイド、５：リニアモータ可動子、６：リニアモータ固定子、７：脚、８：可動磁石、８Ｙ：Ｙ駆動用磁石、８Ｘ：Ｘ駆動用磁石、９：ヨーク、１０：側板、１１Ｙ：Ｙミラー、１１Ｘ：Ｘミラー、１３：扁平コイル、１３Ｙ：Ｙ用扁平コイル、１３Ｘ：Ｘ用扁平コイル、１４：コイルホルダ、１６：位置プロファイル生成手段、１６Ａ：角度プロファイル生成手段、１６Ｙ：Ｙ位置プロファイル生成手段、１６Ｘ：Ｘ位置プロファイル生成手段、１７：位置制御部、１８（１８Ｘ，１８Ｙ１，１８Ｙ２）：干渉計、１９（１９ａ〜１９ｃ）：制御演算部、２０（２０ａ〜２０ｃ）：電流アンプ、２１（２１ａ〜２１ｄ）：差分器、３１：可動磁石ホルダ、３２：可動磁石、３３：反発可動子（挿入磁石）、３５：反発固定子（組磁石）、３６：上下ヨーク、３７：上下磁石、３８：横ヨーク、４５：リニアモータ可動子、４６：リニアモータ固定子、４７：脚、４８：可動磁石、４９：可動磁石ホルダ、５３Ｙ：Ｙ単相コイル、５３Ｘ：Ｘ単相コイル、５４：ヨーク、ＬＭ：リニアモータ、ＲＭＵ：反発磁石ユニット。
【図１】
2006253707.tif 000003
【図２】
2006253707.tif 000004
【図３】
2006253707.tif 000005
【図４】
2006253707.tif 000006
【図５】
2006253707.tif 000007
【図６】
2006253707.tif 000008
【図７】
2006253707.tif 000009
【図８】
2006253707.tif 000010
【図９】
2006253707.tif 000011
【図１０】
2006253707.tif 000012
【図１１】
2006253707.tif 000013
【図１２】
2006253707.tif 000014
【図１３】
2006253707.tif 000015
【図１４】
2006253707.tif 000016
【図１５】
2006253707.tif 000017
【図１６】
2006253707.tif 000018
【図１７】
2006253707.tif 000019
【図１８】
2006253707.tif 000020